(57)【要約】【課題】使い易いユーザインターフェースを備えた暖房給湯システム及びリモコンを提供する。【解決手段】暖房給湯システムは、加熱された水及び循環液を供給する暖房給湯装置と、暖房給湯装置の制御部と通信可能に接続され、部屋の室内温度の設定を行うための室内温度設定ボタン１０１、給湯端末にて供給される水の給湯温度の設定を行うための給湯温度設定ボタン１０２、及び、室内温度設定ボタン１０１の操作によって設定される室内設定温度と給湯温度設定ボタン１０２の操作によって設定される給湯設定温度Ｔ２とを表示可能な表示部１０３を有するリモコンＲ１とを備えている。そして、室内設定温度の変更が無視されるように設定されているリモコンＲ１の表示部１０３には、当該室内設定温度を表示しない。【選択図】図４
2009287842.tif 000002
【特許請求の範囲】
【請求項１】
温調された液体を供給する液体供給装置と、
前記液体供給装置の制御部と通信可能に接続され、前記液体供給装置から供給される液体の温度の設定を行うための温度入力部、及び、その温度入力部を操作することによって設定される設定温度を表示可能な表示部を有する１又は複数のコントローラとを備え、
前記設定温度の変更が無視されるように設定されている前記コントローラの表示部には、前記設定温度を表示しないことを特徴とする、液体供給システム。
【請求項２】
前記設定温度の変更が無視されるように設定されている前記コントローラにおいて、前記温度入力部の操作が行われたときには、その表示部に、前記温度入力部の操作が無効である旨が表示されることを特徴とする、請求項１に記載の液体供給システム。
【請求項３】
貯湯タンク、前記貯湯タンクに付設され、前記貯湯タンクの循環液を加熱して当該貯湯タンクへと返流するヒートポンプユニット、前記貯湯タンク内に配置され、給水源から供給される水が内部を流れる熱交換器、前記熱交換器の内部を流れた水を給湯端末に供給するための出湯流路、前記貯湯タンクに貯留される循環液を当該貯湯タンクと暖房端末との間で循環させる第１循環路、及び、前記貯湯タンクに貯留される循環液を当該貯湯タンクと前記ヒートポンプユニットとの間で循環させる第２循環路を備える液体供給装置と、
前記液体供給装置の制御部と通信可能に接続され、前記給湯端末にて供給される水の給湯温度の設定を行うための給湯温度入力部、前記暖房端末に関する暖房温度の設定を行うための暖房温度入力部、及び、前記給湯温度入力部の操作によって設定される給湯設定温度と前記暖房温度入力部の操作によって設定される暖房設定温度とを表示可能な表示部を有する１又は複数のコントローラとを備え、
前記給湯設定温度及び前記暖房設定温度の少なくとも一方の変更が無視されるように設定されている前記コントローラの表示部には、その変更が無視される設定温度を表示しないことを特徴とする、液体供給システム。
【請求項４】
前記表示部は、前記給湯設定温度と前記暖房設定温度とを別々の表示領域に表示し、
前記給湯設定温度及び前記暖房設定温度のいずれか一方の変更が無視されるように設定されている前記コントローラの表示部には、その変更が無視される設定温度を表示しないことが可能であることを特徴とする、請求項３に記載の液体供給システム。
【請求項５】
温調された液体を供給する液体供給装置の制御部と通信可能に接続されるコントローラであって、
前記液体供給装置から供給される液体の温度の設定を行うための温度入力部と、
前記温度入力部を操作することによって設定される設定温度を表示可能な表示部とを備え、
前記設定温度の操作が無視されるように設定されている場合に、前記表示部には前記設定温度を表示しないことを特徴とする、コントローラ。
【発明の詳細な説明】
【技術分野】
【０００１】
本発明は、温調された液体を給湯端末や暖房端末に供給する液体供給システム及びそのコントローラに関する。
【背景技術】
【０００２】
従来、キッチンや浴室などに温湯を供給する給湯システムにおいて、特定のリモコン（例えば、浴室に設置されるリモコン）に給湯設定温度の変更が可能な優先権を持たせた技術が提案されている（例えば、特許文献１参照）。この特許文献１に開示される給湯システムでは、浴室において給湯が行われている場合に、浴室以外の箇所に設置されるリモコンで給湯設定温度が変更できないようになっている。
【特許文献１】特開２００６−１０２３５号公報
【発明の開示】
【発明が解決しようとする課題】
【０００３】
上記特許文献１に開示される給湯システムでは、浴室において給湯が行われている場合に、浴室以外の箇所に設置されるリモコンにおいて、その操作が無視されるが、当該操作が無視されるリモコンであっても、その表示部には、給湯設定温度など種々の情報が表示されるのが一般的になっている。このため、ユーザは、リモコンの表示部に給湯設定温度が表示されていることから、給湯設定温度の変更が可能だと勘違いしてしまい、当該リモコンにおいて、無意味な操作をしてしまうことがある。
【０００４】
そこで、この発明は、上記のような課題を解決するためになされたものであり、使い易いユーザインターフェースを備えた液体供給システム及びコントローラを提供することを目的とする。
【課題を解決するための手段】
【０００５】
第１の発明にかかる液体供給システムは、温調された液体を供給する液体供給装置と、液体供給装置の制御部と通信可能に接続され、液体供給装置から供給される液体の温度の設定を行うための温度入力部、及び、その温度入力部を操作することによって設定される設定温度を表示可能な表示部を有する１又は複数のコントローラとを備え、設定温度の変更が無視されるように設定されているコントローラの表示部には、設定温度を表示しない。
【０００６】
この液体供給システムでは、設定温度の変更の操作が無視されるコントローラの表示部に、設定温度を表示しないことによって、当該コントローラにおいて設定温度の変更が可能であるとユーザが勘違いするような表示をしないようにして、当該コントローラにおいて、ユーザが無意味な操作をしてしまうのを抑制することができる。このようにして、使い易いユーザインターフェースを提供することができる。
【０００７】
第２の発明にかかる液体供給システムは、第１の発明にかかる液体供給システムにおいて、設定温度の変更が無視されるように設定されているコントローラにおいて、温度入力部の操作が行われたときには、その表示部に、温度入力部の操作が無効である旨が表示される。
【０００８】
この液体供給システムでは、設定温度の変更の操作が無視されるコントローラにおいて、無意味な操作をしてしまった場合でも、その操作が無効であることをユーザに報知することができる。
【０００９】
第３の発明にかかる液体供給システムは、貯湯タンク、貯湯タンクに付設され、貯湯タンクの循環液を加熱して当該貯湯タンクへと返流するヒートポンプユニット、貯湯タンク内に配置され、給水源から供給される水が内部を流れる熱交換器、熱交換器の内部を流れた水を給湯端末に供給するための出湯流路、貯湯タンクに貯留される循環液を当該貯湯タンクと暖房端末との間で循環させる第１循環路、及び、貯湯タンクに貯留される循環液を当該貯湯タンクとヒートポンプユニットとの間で循環させる第２循環路を備える液体供給装置と、液体供給装置の制御部と通信可能に接続され、給湯端末にて供給される水の給湯温度の設定を行うための給湯温度入力部、暖房端末に関する暖房温度の設定を行うための暖房温度入力部、及び、給湯温度入力部の操作によって設定される給湯設定温度と暖房温度入力部の操作によって設定される暖房設定温度とを表示可能な表示部を有する１又は複数のコントローラとを備え、給湯設定温度及び暖房設定温度の少なくとも一方の変更が無視されるように設定されているコントローラの表示部には、その変更が無視される設定温度を表示しない。
【００１０】
この液体供給システムでは、給湯設定温度及び暖房設定温度の少なくとも一方の変更の操作が無視されるコントローラの表示部に、その変更が無視される設定温度を表示しないことによって、当該コントローラにおいて、その変更が無視される設定温度の変更が可能であるとユーザが勘違いするような表示をしないようにして、当該コントローラにおいて、ユーザが無意味な操作をしてしまうのを抑制することができる。このようにして、使い易いユーザインターフェースを提供することができる。
【００１１】
第４の発明にかかる液体供給システムは、第３の発明にかかる液体供給システムにおいて、表示部は、給湯設定温度と暖房設定温度とを別々の表示領域に表示し、給湯設定温度及び暖房設定温度のいずれか一方の変更が無視されるように設定されているコントローラの表示部には、その変更が無視される設定温度を表示しないことが可能である。
【００１２】
この液体供給システムでは、変更が無視される設定温度に対応する表示領域にその設定温度が表示されないようにすることが可能であるので、ユーザは、変更が無視されている設定温度が給湯設定温度か暖房設定温度のどちらかを容易に判断することができる。従って、給湯設定温度と暖房設定温度との２つの設定温度を有するシステムであっても、ユーザが無意味な操作をしてしまうのを抑制することができ、使い易いユーザインターフェースを提供することができる。
【００１３】
第５の発明にかかるコントローラは、温調された液体を供給する液体供給装置の制御部と通信可能に接続されるコントローラであって、液体供給装置から供給される液体の温度の設定を行うための温度入力部と、温度入力部を操作することによって設定される設定温度を表示可能な表示部とを備え、設定温度の操作が無視されるように設定されている場合に、表示部には設定温度を表示しない。
【００１４】
このコントローラでは、設定温度の操作が無視されるように設定されている場合に、その表示部に、設定温度を表示しないことによって、設定温度の変更が可能であるとユーザが勘違いするような表示をしないようにして、ユーザが無意味な操作をしてしまうのを抑制することができる。このようにして、使い易いユーザインターフェースを提供することができる。
【発明の効果】
【００１５】
以上の説明に述べたように、本発明によれば、以下の効果が得られる。
【００１６】
第１の発明では、設定温度の変更の操作が無視されるコントローラにおいて設定温度の変更が可能であるとユーザが勘違いするような表示をしないようにして、当該コントローラにおいて、ユーザが無意味な操作をしてしまうのを抑制することができる。このようにして、使い易いユーザインターフェースを提供することができる。
【００１７】
また、第２の発明では、設定温度の変更の操作が無視されるコントローラにおいて、無意味な操作をしてしまった場合でも、その操作が無効であることをユーザに報知することができる。
【００１８】
第３の発明では、給湯設定温度及び暖房設定温度の少なくとも一方の変更の操作が無視されるコントローラにおいて、その変更が無視される設定温度の変更が可能であるとユーザが勘違いするような表示をしないようにして、当該コントローラにおいて、ユーザが無意味な操作をしてしまうのを抑制することができる。このようにして、使い易いユーザインターフェースを提供することができる。
【００１９】
また、第４の発明では、給湯設定温度と暖房設定温度との２つの設定温度を有するシステムであっても、ユーザが無意味な操作をしてしまうのを抑制することができ、使い易いユーザインターフェースを提供することができる。
【００２０】
また、第５の発明では、設定温度の操作が無視されるように設定されている場合に、表示部に設定温度を表示しないことによって、設定温度の変更が可能であるとユーザが勘違いするような表示をしないようにして、ユーザが無意味な操作をしてしまうのを抑制することができる。このようにして、使い易いユーザインターフェースを提供することができる。
【発明を実施するための最良の形態】
【００２１】
以下、図面に基づいて、本発明に係る暖房給湯システムの実施形態について説明する。
【００２２】
（第１実施形態）
図１は、本発明の第１実施形態に係る暖房給湯システムの構成を示す模式図である。図２は、図１に示した暖房給湯システムの貯湯タンク及び給湯用熱交換器の詳細を示した断面図である。図３は、図１に示した制御部のディップスイッチとその制御部からリモコンＲ１に対して送信されるオプションコードとの関係を示した図である。図４は、図１に示した暖房給湯システムのリモコンを示した正面図である。図５は、図１に示した暖房給湯システムのリモコンＲ１を示した図である。以下、図１〜図５を参照して、暖房給湯システム１００について詳細に説明する。
【００２３】
本実施形態の暖房給湯システム１００は、図１に示すように、加熱された水及び循環液を供給する暖房給湯装置Ｓと、リモコンＲ１と、現地調達品である室温サーモスタットＴとを備えている。そして、暖房給湯装置Ｓは、主として、ヒートポンプユニット１と、貯湯タンク２と、給湯用熱交換器３と、暖房用循環回路４と、沸上用循環回路５と、制御部６とを備えている。本実施形態の暖房給湯装置Ｓでは、貯湯タンク２に貯留された循環液が暖房用循環回路４を介してラジエータＡに供給されると共に、給湯用熱交換器３の内部を流れた水がキッチンや浴室などの給湯端末Ｂに供給される。
【００２４】
ヒートポンプユニット１は、貯湯タンク２に付設され、貯湯タンク２内の下部領域の循環液を加熱して貯湯タンク２内の上部領域へと返流する。このヒートポンプユニット１は、空気熱交換器（蒸発器）１１、圧縮機１２、水熱交換器（凝縮器）１３、過冷却熱交換器１４及び電動膨張弁１５を有する冷媒回路１６を有している。この冷媒回路１６には、ＣＯ２冷媒が循環している。また、空気熱交換器１１には、この空気熱交換器１１の能力を調整するファン１７が付設されている。
【００２５】
上記したＣＯ２冷媒は、空気熱交換器１１において、ファン１７から送られた空気中の熱を吸収してガス化する。そして、このＣＯ２冷媒は、圧縮機１２で圧縮されて高温となった後、水熱交換器１３に到達して貯湯タンク２から供給される循環液と熱交換熱する。これにより、ＣＯ２冷媒は、水熱交換器１３に入る前に比べて低温となって、過冷却熱交換器１４へ向かう。そして、ＣＯ２冷媒は、その過冷却熱交換器１４でさらに冷却された後、電動膨張弁１５を経て、空気熱交換器１１に戻る。
【００２６】
貯湯タンク２には、沸上用循環回路５を介して上記したヒートポンプユニット１が接続されると共に暖房用循環回路４を介してラジエータＡが接続されており、その内部には、ヒートポンプユニット１で加熱された循環液が貯留される。
【００２７】
この貯湯タンク２内の上下方向の略中央部には、図２に示すように、貯湯タンク２内の循環液を直接加熱するヒータ２０が設けられている。これにより、ヒートポンプユニット１の故障時にも、当該ヒータ２０を用いて、貯湯タンク２内の循環液を加熱することができると共に、ヒートポンプユニット１が循環液に与える熱量が不足している時にも、その不足分の熱量を当該ヒータ２０で補うことができる。また、このヒータ２０は、貯湯タンク２内の上下方向の略中央部に配置されているので、主として、ヒータ２０よりも上方にある循環液を加熱することになるが、貯湯タンク２内の上部領域の循環液は、貯湯タンク２内の下部領域の循環液に比べて高温であるから、短時間で循環液を高温にすることができる。特に、暖房負荷が瞬間的に増大した場合に効果的である。
【００２８】
また、貯湯タンク２には、一方端部２１ａが貯湯タンク２外に位置し、且つ、他方端部２１ｂが貯湯タンク２内であってヒータ２０の近傍且つ上方に位置する配管２１が設けられている。この配管２１の一方端部２１ａには、暖房用循環回路４の上流側他方端部４ｂが接続されており、ヒータ２０で加熱された直後の循環液を暖房用循環回路４に送り出すことが可能となる。
【００２９】
また、貯湯タンク２には、貯湯タンク２内の各高さ位置における循環液の温度を検出するための温度センサ２２（図１参照）が複数設けられている。この複数の温度センサ２２により検出される温度に係る信号は、後述する制御部６に送信される。
【００３０】
貯湯タンク２の下部側には、利用側戻り接続口２３と、熱源側往き接続口２４と、凍結防止用戻り接続口２５とが設けられている。この利用側戻り接続口２３には、暖房用循環回路４の下流側端部４ｃが接続されている。これにより、ラジエータＡにて放熱して低温となった循環液が、貯湯タンク２内の下部領域に導入される。その結果、貯湯タンク２内の上部領域の比較的高温の循環液と、ラジエータＡにて比較的低温になった循環液とが混合して低温になるのを抑制することができる。また、熱源側往き接続口２４には、沸上用循環回路５の上流側端部５ａが接続されている。これにより、貯湯タンク２内の下部領域に存在する比較的低温の循環液を、沸上用循環回路５に送り出すことが可能となる。その結果、貯湯タンク２内の下部領域にある比較的低温の循環液がヒートポンプユニット１の水熱交換器１３に供給されることになるので、ヒートポンプユニット１のＣＯＰが向上する。また、凍結防止用戻り接続口２５には、沸上用循環回路５の下流側一方端部５ｂが接続されている。これにより、凍結防止運転中において十分に加熱されない循環液を貯湯タンク２内の下部領域に導入することが可能となる。なお、上記した凍結防止運転は、沸き上げ運転の停止中に行われる。
【００３１】
また、貯湯タンク２の頂部には、往き・戻り接続口２６が設けられている。この往き・戻り接続口２６には、暖房用循環回路４の上流側一方端部４ａ及び沸上用循環回路５の下流側他方端部５ｃが接続されている。これにより、ヒートポンプユニット１によって沸き上げられた比較的高温の循環液を、貯湯タンク２内の上部領域に導入することが可能となると共に、貯湯タンク２内の上部領域に存在する比較的高温の循環液を、暖房用循環回路４に送り出すことが可能となる。なお、暖房用循環回路４の上流側一方端部４ａと、沸上用循環回路５の下流側他方端部５ｃとは、共通の流路となっている。
【００３２】
給湯用熱交換器３は、図２に示すように、コイル状のパイプからなり、貯湯タンク２内の下部領域から上部領域に渡って配置されている。これにより、給水源Ｃ（図１参照）から供給されそのパイプを流通する水が、その周囲に貯留される循環液により加熱される。具体的には、給水源Ｃから供給される水は、給水流路３１を介して、貯湯タンク２内の下部領域に配置される下部コイル部３ａに導入される。そして、この下部コイル部３ａを上方に向かって流れた水は、貯湯タンク２内の上部領域に配置される上部コイル部３ｂに導入される。そして、この上部コイル部３ｂを上方に向かって流れた水は、出湯流路３２を介して、各給湯端末Ｂに供給される。このように、給湯用熱交換器３が、貯湯タンク２内の下部領域から上部領域に渡って配置されていて、給水源Ｃからの水が貯湯タンク２内の下部領域から上部領域に向かうので、当該水は給湯用熱交換器３の内部を流れる間に貯湯タンク２内の循環液により十分に加熱される。したがって、給湯用熱交換器３から高温の温湯が出湯可能となる。なお、下部コイル部３ａと上部コイル部３ｂとは、上記したヒータ２０を跨ぐように配置されている。
【００３３】
また、図１に示すように、給水流路３１と出湯流路３２との間には、混合弁３３が設けられている。この混合弁３３は、出湯流路３２を通過する温湯の温度を調整するために設けられている。具体的には、当該混合弁３３を開くことによって、出湯流路３２を通過する温湯と給水流路３１を通過する水とを混合して、給湯端末Ｂにおいて供給される温湯の温度を調整している。
【００３４】
暖房用循環回路４は、貯湯タンク２内に貯留された循環液を当該貯湯タンク２とラジエータＡとの間で循環させるものである。この暖房用循環回路４の上流側一方端部４ａは、貯湯タンク２の頂部に設けられる往き・戻り接続口２６に接続され、下流側端部４ｃは、利用側戻り接続口２３に接続されている。また、上流側他方端部４ｂは、貯湯タンク２に設けられる配管２１（図２参照）の一方端部２１ａに接続されている。そして、暖房用循環回路４上には、バイパス配管４１、混合弁４２、三方弁４３、温度センサ４４及び４５、循環ポンプ４６、複数のラジエータＡが設けられている。
【００３５】
バイパス配管４１は、ラジエータＡを経由して貯湯タンク２に戻る循環液の一部を混合弁４２へ案内するために設けられている。
【００３６】
混合弁４２は、貯湯タンク２から送り出された循環液が流入する入口と、上記したバイパス配管４１によって案内された循環液が流入する入口と、それらの入口から流入する循環液を混合して流出される出口とを有している。当該混合弁４２の各入口の開度は、後述する制御部６によって調節される。
【００３７】
三方弁４３は、暖房用循環回路４の上流側一方端部４ａが接続される往き・戻り接続口２６から送り出された循環液が流入する入口（以下、第１入口とする）と、暖房用循環回路４の上流側他方端部４ｂが接続される配管２１の他方端部２１ｂから送り出された循環液が流入する入口（以下、第２入口とする）と、その各入口から流入した循環液を送り出す出口とを有している。そして、この三方弁４３は、貯湯タンク２内の循環液の高温領域が配管２１の他方端部２１ｂ近傍に存在していない場合には、第１入口を開いて、往き・戻り接続口２６から循環液を取り出し、貯湯タンク２内の循環液の高温領域が配管２１の他方端部２１ｂ近傍に存在している場合には、第２入口を開いて、配管２１の他方端部２１ｂから循環液を取り出す。この三方弁４３の切り替えは、後述する制御部６によって行われる。
【００３８】
温度センサ４４は、貯湯タンク２からラジエータＡへ向かう循環液の温度（往き循環液温度）を検出するために設けられており、温度センサ４５は、ラジエータＡから貯湯タンク２へ向かう循環液の温度（戻り循環液温度）を検出するために設けられている。この温度センサ４４及び４５によって検出される温度を示す信号は、後述する制御部６に送信される。
【００３９】
循環ポンプ４６は、貯湯タンク２内の循環液を暖房用循環回路４内において循環させるために設けられている。
【００４０】
各ラジエータＡは、暖房用循環回路４内を循環する循環液の熱を直接取り出し、当該ラジエータＡが設置される室内に放熱する。これにより、暖房用循環回路４内を循環する循環液の熱をラジエータＡに効率良く供給できるので、北欧等の暖房負荷の高い地域でも十分な暖房を行うことができる。
【００４１】
沸上用循環回路５は、貯湯タンク２内に貯留された循環液を当該貯湯タンク２とヒートポンプユニット１との間で循環させるものである。この沸上用循環回路５の上流側端部５ａは、貯湯タンク２の下部側に設けられる熱源側往き接続口２４に接続され、下流側一方端部５ｂは、貯湯タンク２の下部側に設けられる凍結防止用戻り接続口２５に接続され、下流側他方端部５ｃは、貯湯タンク２の頂部に設けられる往き・戻り接続口２６に接続されている。そして、沸上用循環回路５上には、循環ポンプ５１、上記したヒートポンプユニット１の水熱交換器１３、三方弁５２、及び、温度センサ５３が設けられている。
【００４２】
循環ポンプ５１は、貯湯タンク２内の循環液を沸上用循環回路５において循環させるために設けられている。
【００４３】
三方弁５２は、上記した水熱交換器１３にて加熱された循環液が流入する入口と、往き・戻り接続口２６に向かって循環液を流出する出口（以下、第１出口とする）と、凍結防止用戻り接続口２５に向かって循環液を流出する出口（以下、第２出口とする）とを有している。そして、この三方弁５２は、水熱交換器１３を通過した循環液が十分に高温となっている場合には、第１出口を開いて、往き・戻り接続口２６を介して貯湯タンク２内の上部領域に循環液を返流し、水熱交換器１３を通過した循環液が十分に高温となっていない場合には、第２出口を開いて、凍結防止用戻り接続口２５を介して貯湯タンク２内の下部領域に循環液を返流する。従って、ヒートポンプユニット１の起動時や凍結防止運転時に、十分に高温とならない循環液が貯湯タンク２内の上部領域に返流されるのを防止することができる。これにより、十分に高温になっていない循環液が貯湯タンク２内の上部領域に返流されることに起因して、貯湯タンク２内の温度分布が乱れるのを防止することができる。このようにして、貯湯タンク２内では、上部領域に比較的高温の循環液が位置し、下部領域に比較的低温の循環液温水が位置するように液層（温度分布）が形成される。この三方弁５２の切り替えは、後述する制御部６によって行われる。
【００４４】
温度センサ５３は、水熱交換器１３から三方弁５２に向かう循環液の温度（ヒートポンプユニット１によって沸き上げられた循環液の温度）を検出するために設けられている。この温度センサ５３によって検出される温度を示す信号は、後述する制御部６に送信される。
【００４５】
制御部６は、上記した各種センサから送信される信号やリモコンＲ１から送信される信号に基づいて、暖房給湯装置Ｓの各部の動作を統括する。具体的には、この制御部６は、外気温度センサ１８により検出される温度（外気温度）を示す信号、室内温度センサ（図示せず）により検出される温度（室内温度）を示す信号、上記した温度センサ４４により検出される温度（往き循環液温度）を示す信号、上記した温度センサ４５により検出される温度（戻り循環液温度）を示す信号、及び、後述するリモコンＲ１によって設定される温度（室内設定温度Ｔ１、給湯設定温度Ｔ２）に係る信号を受信し、それらの各種信号に基づいて、混合弁４２の２つの入口の夫々の開度を調節して水温制御を行ったり、循環ポンプ４６の回転数を調節して流量制御を行ったりする。例えば、外気温度が高い時は、混合弁４２を調節してバイパス配管４１からの循環液の流入量を増加させることで往き循環液温度を下げたり、循環ポンプ４６の回転数を下げて循環する循環液の流量を抑えることで戻り循環液温度を下げる。一方、外気温度が低い時は、混合弁４２を調節してバイパス配管４１からの循環液の流入量を減少させることで往き循環液温度を上げたり、循環ポンプ４６の回転数を上げて循環する循環液の流量を増加させることで戻り循環液温度を上げる。
【００４６】
また、この制御部６は、貯湯タンク２に取り付けられる複数の温度センサ２２により検出される温度（貯湯タンク２内の各位置における循環液の温度）を示す信号を受信し、その信号に基づいて、三方弁４３の切り替えを行い、貯湯タンク２内の上部領域から循環液を取り出すか、貯湯タンク２の中央部近傍から循環液を取り出すかを制御する。また、貯湯タンク２に取り付けられる温度センサ２２によって検出される貯湯タンク２内の下部領域の循環液の温度を示す信号は、圧縮機１２および循環ポンプのＯＮ／ＯＦＦ制御に使用される。
【００４７】
さらに、この制御部６は、水熱交換器１３と三方弁５２との間に設けられる温度センサ５３により検出される温度（ヒートポンプユニット１によって沸き上げられた循環液の温度）を示す信号を受信し、その信号に基づいて、三方弁５２の切り替えを行い、当該循環液を貯湯タンク２内の上部領域に返流するか、当該循環液を貯湯タンク２内の下部領域に返流するかを制御する。
【００４８】
また、本実施形態では、制御部６は、暖房給湯システム１００の電源投入時に、リモコンＲ１にオプションコードＣ１又はＣ２を送信して、リモコンＲ１における操作を制限するか否かを決定する。なお、リモコンＲ１に対するオプションコードＣ１又はＣ２の送信は、図３に示すように、制御部６に設けられるディップスイッチＳＷの切り替えに応じて行われる。具体的には、リモコンＲ１に対応するスイッチＳＷ１がＯＮの場合には、制御部６からリモコンＲ１に対してオプションコードＣ１が送信され、スイッチＳＷ１がＯＦＦの場合には、制御部６からリモコンＲ１に対してオプションコードＣ２が送信される。そして、本実施形態では、制御部６からリモコンＲ１に対して、オプションコードＣ１が送信された場合には、リモコンＲ１における室内温度設定ボタン１０１の操作が無効となると共に、その表示部１０３に室内設定温度Ｔ１が表示されなくなり、リモコンＲ１における室内設定温度Ｔ１の変更が無視されるように設定される。また、制御部６からリモコンＲ１に対して、オプションコードＣ２が送信された場合には、その表示部１０３に室内設定温度Ｔ１が表示されると共に、その室内設定温度Ｔ１の変更も可能となる。なお、この第１実施形態では、暖房時の室温コントロール用のインターフェースとして、現地調達品である室温サーモスタットＴ（図１参照）を使用する場合（リモコンＲ１を利用しない場合）について説明する。つまり、この第１実施形態では、室温サーモスタットＴのサーモＯＮ／ＯＦＦ信号に基づいて、暖房給湯システム１００の暖房運転が制御される。この場合、制御部６は、リモコンＲ１にオプションコードＣ１を送信するようにして、当該リモコンＲ１における操作を制限する。
【００４９】
リモコンＲ１は、制御部６と有線又は無線により通信可能に接続されており、リビングやキッチンなどに設置され、給湯端末Ｂ（風呂、キッチンなど）にて供給される水の給湯温度の設定や、ラジエータＡが設置される部屋の室内温度の設定を行う機能を有している。
【００５０】
リモコンＲ１は、図４に示すように、ラジエータＡが設置される部屋の室内温度の設定を行うための室内温度設定ボタン１０１と、給湯端末Ｂにて供給される水の給湯温度の設定を行うための給湯温度設定ボタン１０２と、当該ボタン１０１及び１０２の操作により設定される室内設定温度Ｔ１及び給湯設定温度Ｔ２を表示可能な表示部１０３と、制御部１０４とを有している。
【００５１】
表示部１０３には、室内設定温度Ｔ１、給湯設定温度Ｔ２、室内温度設定ボタン１０１の操作が無効であること示す警告表示（図中では、「ＮＯＴ  ＡＶＡＩＬＡＢＬＥ」）Ｍが表示可能となっている。
【００５２】
制御部１０４は、暖房給湯装置Ｓの制御部６から送信される各種信号及びオプションコードＣ１，Ｃ２や上記したボタン１０１，１０２の操作に係る信号に基づいて、表示部１０３の表示を制御したり、ボタン１０１，１０２の操作により設定される室内設定温度Ｔ１及び給湯設定温度Ｔ２に係る信号を制御部６に送信したりする。なお、ここでは、制御部１０４が、室内設定温度Ｔ１と給湯設定温度Ｔ２とを別々の表示領域に表示する場合について説明するが、室内設定温度Ｔ１と給湯設定温度Ｔ２とを共通の表示領域に表示することも可能である。
【００５３】
この第１実施形態では、リモコンＲ１の制御部１０４は、オプションコードＣ１を受信しているので、図５に示すように、室内設定温度Ｔ１を表示する表示領域において、その室内設定温度Ｔ１を非表示とする。また、このとき、室内温度設定ボタン１０１の操作が無効となっているため、室内温度設定ボタン１０１の操作が行われると、上記した警告表示Ｍが所定期間だけ点灯するようになる。
【００５４】
（第２実施形態）
図６は、本発明の第２実施形態に係る暖房給湯システムの構成を示す模式図である。図７は、図６に示した制御部のディップスイッチとその制御部からリモコンＲ１及びＲ２に対して送信されるオプションコードとの関係を示した図である。図８は、図６に示した暖房給湯システムのリモコンＲ１及びＲ２を示した図である。
【００５５】
この第２実施形態に係る暖房給湯システム２００は、図６に示すように、制御部６と通信可能に接続される２つリモコンＲ１及びＲ２を備えている。この第２実施形態では、暖房時の室温コントロール用のインターフェースとして、リモコンＲ２を使用する場合（リモコンＲ１を利用しない場合）について説明する。この場合、図７に示すように、制御部６に設けられるディップスイッチＳＷにおいて、リモコンＲ１に対応するスイッチＳＷ１がＯＮで、且つ、リモコンＲ２に対応するスイッチＳＷ２がＯＦＦとなっている。これにより、制御部６からリモコンＲ１に対してオプションコードＣ１が送信されると共にリモコンＲ２に対してオプションコードＣ２が送信される。
【００５６】
この第２実施形態では、リモコンＲ１の制御部１０４は、オプションコードＣ１を受信しているので、図８（ａ）に示すように、室内設定温度Ｔ１を表示する表示領域において、その室内設定温度Ｔ１を非表示とする。また、このとき、室内温度設定ボタン１０１の操作が無効となっているため、室内温度設定ボタン１０１の操作が行われると、上記した警告表示Ｍが所定期間だけ点灯するようになる。これに対して、リモコンＲ２の制御部１０４は、オプションコードＣ２を受信しているので、図８（ｂ）に示すように、その表示部１０３に室内設定温度Ｔ１が表示されると共に、その室内設定温度Ｔ１の変更も可能となる。
【００５７】
（第３実施形態）
図９は、本発明の第３実施形態に係る暖房給湯システムの構成を示す模式図である。図１０は、図９に示した制御部のディップスイッチとその制御部からリモコンＲ１及びＲ２に対して送信されるオプションコードとの関係を示した図である。図１１は、図９に示した暖房給湯システムのリモコンＲ１及びＲ２を示した図である。
【００５８】
この第３実施形態に係る暖房給湯システム３００は、図９に示すように、制御部６と通信可能に接続される２つリモコンＲ１及びＲ２と、現地調達品である室温サーモスタットＴとを備えている。この第３実施形態では、暖房時の室温コントロール用のインターフェースとして、現地調達品である室温サーモスタットＴを使用する場合（リモコンＲ１及びＲ２を利用しない場合）について説明する。この場合、図１０に示すように、制御部６に設けられるディップスイッチＳＷにおいて、リモコンＲ１に対応するスイッチＳＷ１がＯＮとなり、且つ、リモコンＲ２に対応するスイッチＳＷ２もＯＮとなっている。これにより、制御部６からリモコンＲ１及びＲ２に対してオプションコードＣ１がそれぞれ送信される。
【００５９】
この第２実施形態では、リモコンＲ１及びＲ２の制御部１０４は、オプションコードＣ１を受信しているので、図１１に示すように、室内設定温度Ｔ１を表示する表示領域において、その室内設定温度Ｔ１を非表示とする。また、このとき、室内温度設定ボタン１０１の操作が無効となっているため、室内温度設定ボタン１０１の操作が行われると、上記した警告表示Ｍが所定期間だけ点灯するようになる。
【００６０】
［実施形態の暖房給湯システムの特徴］
上記した実施形態の暖房給湯システム１００，２００，３００には、以下のような特徴がある。
【００６１】
第１実施形態の暖房給湯システム１００では、室内設定温度Ｔ１の変更の操作が無視されるリモコンＲ１（オプションコードＣ１を受信したリモコンＲ１）の表示部１０３に、室内設定温度Ｔ１を表示しないことによって、当該リモコンＲ１においてその室内設定温度Ｔ１の変更が可能であるとユーザが勘違いするような表示をしないようにして、当該リモコンＲ１において、ユーザが無意味な操作をしてしまうのを抑制することができる。このようにして、使い易いユーザインターフェースを提供することができる。
【００６２】
また、第１実施形態の暖房給湯システム１００では、室内設定温度Ｔ１の変更の操作が無視されるリモコンＲ１において、室内温度設定ボタン１０１の操作が行われたときには、その表示部１０３に警告表示Ｍが表示されることによって、無意味な操作をしてしまった場合でも、その操作が無効であることをユーザに報知することができる。
【００６３】
また、第１実施形態の暖房給湯システム１００では、室内設定温度Ｔ１の表示領域にその室内設定温度Ｔ１が表示されないようにすることが可能であるので、ユーザは、室内設定温度Ｔ１の変更が無視されていることを容易に判断することができる。従って、給湯設定温度Ｔ２と室内設定温度Ｔ１との２つの設定温度を有するシステムであっても、ユーザが無意味な操作をしてしまうのを抑制することができる。
【００６４】
また、第２実施形態の暖房給湯システム２００及び第３実施形態の暖房給湯システム３００も、第１実施形態の暖房給湯システム１００と同様の特徴を有している。
【００６５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６６】
例えば、上記実施形態では、ヒートポンプユニット１においてＣＯ２冷媒を使用する例について説明したが、本発明はこれに限らず、ＮＨ３冷媒やＲ２２冷媒などを使用してもよい。また、暖房端末としてラジエータを使用したが、これに代えて、あるいはこれと併用して、床暖房パネルやファンコイルなどを使用してもよい。
【００６７】
また、上記実施形態では、表示部１０３に室内設定温度Ｔ１が表示されないようにする例について説明したが、本発明はこれに限らず、給湯設定温度Ｔ２の設定が無視されるリモコンにおいて、給湯設定温度Ｔ２が表示されないようにしてもよい。
【００６８】
また、第２及び第３記実施形態では、暖房給湯装置Ｓの制御部６に２つのリモコンＲ１及びＲ２を接続した例について説明したが、本発明はこれに限らず、その制御部６に３つ以上のリモコンを接続してもよい。この場合には、それらのリモコンの少なくとも１つのリモコンについて室内設定温度Ｔ１及び給湯設定温度Ｔ２の少なくとも一方が表示されないようにすればよい。
【００６９】
また、上記実施形態では、暖房機能及び給湯機能を備えた暖房給湯システム１００に本発明を適用した例について説明したが、本発明はこれに限らず、暖房機能及び給湯機能のいずれかを備えた暖房給湯システム１００にも適用可能である。つまり、上記実施形態の暖房給湯システム１００における給湯用熱交換器３等を省略した暖房システムに本発明を適用することも可能であるし、暖房用循環回路４等を省略した給湯システムに本発明を適用することも可能である。
【００７０】
また、上記実施形態では、過冷却熱交換器１４を有するヒートポンプユニット１を用いる例について説明したが、本発明はこれに限らず、過冷却熱交換器１４を有さないヒートポンプユニットを用いてもよい。
【産業上の利用可能性】
【００７１】
本発明を利用すれば、使い易いユーザインターフェースを備えた暖房給湯システム及びリモコンを得ることができる。
【図面の簡単な説明】
【００７２】
【図１】本発明の第１実施形態に係る暖房給湯システムの構成を示す模式図である。
【図２】図１に示した暖房給湯システムの貯湯タンク及び給湯用熱交換器の詳細を示した断面図である。
【図３】図１に示した制御部のディップスイッチとその制御部からリモコンＲ１に対して送信されるオプションコードとの関係を示した図である。
【図４】図１に示した暖房給湯システムのリモコンを示した正面図である。
【図５】図１に示した暖房給湯システムのリモコンＲ１を示した図である。
【図６】本発明の第２実施形態に係る暖房給湯システムの構成を示す模式図である。
【図７】図６に示した制御部のディップスイッチとその制御部からリモコンＲ１及びＲ２に対して送信されるオプションコードとの関係を示した図である。
【図８】図６に示した暖房給湯システムのリモコンＲ１及びＲ２を示した図である。
【図９】本発明の第３実施形態に係る暖房給湯システムの構成を示す模式図である。
【図１０】図９に示した制御部のディップスイッチとその制御部からリモコンＲ１及びＲ２に対して送信されるオプションコードとの関係を示した図である。
【図１１】図９に示した暖房給湯システムのリモコンＲ１及びＲ２を示した図である。
【符号の説明】
【００７３】
１００、２００、３００  暖房給湯システム（液体供給システム）
１  ヒートポンプユニット
２  貯湯タンク
３  給湯用熱交換器（熱交換器）
４  暖房用循環回路（第１循環路）
５  沸上用循環回路（第２循環路）
６  制御部
３２  出湯流路
１０１  室内温度設定ボタン（温度入力部、暖房温度入力部）
１０２  給湯温度設定ボタン（温度入力部、給湯温度入力部）
１０３  表示部
Ｓ  暖房給湯装置（液体供給装置）
Ｒ１、Ｒ２  リモコン（コントローラ）
【図１】
2009287842.tif 000003
【図２】
2009287842.tif 000004
【図３】
2009287842.tif 000005
【図４】
2009287842.tif 000006
【図５】
2009287842.tif 000007
【図６】
2009287842.tif 000008
【図７】
2009287842.tif 000009
【図８】
2009287842.tif 000010
【図９】
2009287842.tif 000011
【図１０】
2009287842.tif 000012
【図１１】
2009287842.tif 000013